(57)【要約】      （修正有）【課題】掲示物を、常に容易に、見栄え良く掲示することができると共に、部分的にも覆い隠すことのないマグネットクリップを提供する。【解決手段】長尺片４の中央部分から摘み片５を上方に突設した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物を挟持し、前記ネオジウムマグネット７を磁性掲示板に磁着させる。【選択図】図２
0003136365.tif 000002
【実用新案登録請求の範囲】
【請求項１】
長尺片の中央部分から摘み片を上方に突設した一対の本体部を，その左右上端部に取付けた側面略逆Ｕ字状のバネ片で，その上端部を軸として回動自在に組付けた側面略Ｖ字状のクリップ本体と、前記一対の本体部のうち，その一方に固定された複数のネオジウムマグネットと、を備えてなり、前記クリップ本体で掲示物を挟持し，前記ネオジウムマグネットを磁性掲示板に磁着させてなることを特徴とするマグネットクリップ。
【請求項２】
長尺片の中央部分から摘み片を上方に突設し，透明材で形成した一対の本体部を，その左右上端部に取付けた側面略逆Ｕ字状のバネ片で，その上端部を軸として回動自在に組付けた側面略Ｖ字状のクリップ本体と、前記一対の本体部のうち，その一方に固定された複数のネオジウムマグネットと、を備えてなり、前記クリップ本体で掲示物を挟持し，前記ネオジウムマグネットを磁性掲示板に磁着させてなることを特徴とするマグネットクリップ。
【請求項３】
長尺片の中央部分から，孔部を穿設した摘み片を上方に突設し，透明材で形成した一対の本体部を，その左右上端部に取付けた側面略逆Ｕ字状のバネ片で，その上端部を軸として回動自在に組付けた側面略Ｖ字状のクリップ本体と、前記一対の本体部のうち，その一方に固定された複数のネオジウムマグネットと、を備えてなり、前記クリップ本体で掲示物を挟持し，前記ネオジウムマグネットを磁性掲示板に磁着させてなることを特徴とするマグネットクリップ。
【考案の詳細な説明】
【技術分野】
【０００１】
本考案は、マグネット（ネオジウムマグネット）を設けたクリップに関するものである。
【背景技術】
【０００２】
従来、長尺状の透明素材の両端部等に、ネオジウムマグネットを設けたマグネット部材が創案されている（例えば、特許文献１参照）。
【特許文献１】実開昭５７−１３４１７７号公報
【０００３】
このマグネット部材は、書面や図面などの掲示物を、磁性を有する掲示板（磁性掲示板）に掲示するためのもので、ネオジウムマグネットを磁性掲示板に磁着させ、両者の間に資料を挟持して固定するものである。このマグネット部材は透明素材を備えているので、その部分から掲示物を透視することができるといった利点がある。
【考案の開示】
【考案が解決しようとする課題】
【０００４】
しかし、このマグネット部材は、掲示物を、磁性掲示板との間に磁力によって挟んで固定するので、掲示物を見栄え良く磁性掲示板に固定することが困難であるといった問題もある。
【０００５】
すなわち、例えば、Ａ４版などの四角形状の掲示物を掲示する場合、当該掲示物を磁性掲示板にその水平方向と垂直方向を合わせて宛い、その上からマグネット部材を被せるようにして磁着させるが、その際、マグネット部材はその磁力によって瞬時に磁性掲示板に磁着してしまう。従って、そのマグネット部材の姿勢が、掲示物（および磁性掲示板）に対して傾いた姿勢となり易く、結果として、掲示物の見栄えを悪くしてしまう。
【０００６】
また、マグネット部材の傾斜姿勢を直そうとして磁性掲示板に磁着した状態のまま動かすと、それに伴って掲示物も動いて傾いてしまう。従って、この場合も、掲示物の見栄えを悪くしてしまう。
【０００７】
また、このマグネット部材は、透明素材の部分から掲示物を透視することができるものの、ネオジウムマグネットは不透明であるため、そのネオジウムマグネットの部分からは掲示物を透視することができない。従って、掲示物を部分的に覆い隠してしまうといった問題がある。
【０００８】
本考案はこうした問題に鑑み創案されたもので、掲示物を、常に容易に、見栄え良く掲示することができると共に、部分的にも覆い隠すことのないマグネットクリップを提供することを課題とする。
【課題を解決するための手段】
【０００９】
図１乃至図６を参照して説明する。請求項１に記載のマグネットクリップ１は、長尺片４の中央部分から摘み片５を上方に突設した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１０】
請求項２に記載のマグネットクリップ１は、長尺片４の中央部分から摘み片５を上方に突設し、透明材で形成した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１１】
請求項３に記載のマグネットクリップ１は、長尺片４の中央部分から、孔部５ａを穿設した摘み片５を上方に突設し、透明材で形成した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１２】
なお、上記掲示物Ｎには、書面、図面、写真、ポスターなど、あらゆるものを含む。また、磁性掲示板Ｐには、鉄製などネオジウムマグネット７が吸着する性質を有し、少なくとも表面が平滑なものを含み、これには冷蔵庫などの電気製品も含む。
【考案の効果】
【００１３】
請求項１に記載のマグネットクリップ１は、長尺片４の中央部分から摘み片５を上方に突設した一対の本体部３を、その左右上端部に取付けた側面略逆Ｕ字状のバネ片６で、その上端部を軸として回動自在に組付けた側面略Ｖ字状のクリップ本体２と、一対の本体部３のうち、その一方に固定された複数のネオジウムマグネット７とを設けて構成しているので、掲示物Ｎを見栄え良く磁性掲示板Ｐに掲示することができる。
【００１４】
すなわち、このマグネットクリップ１は、クリップ本体２で掲示物Ｎを挟持するので、摘み片５を摘んでクリップ本体２を操作することによって、当該掲示物Ｎをマグネットクリップ１に対して正しい姿勢（例えば水平姿勢）に、容易に固定することができる。
【００１５】
そして、正しい姿勢にあるマグネットクリップ１と掲示物Ｎの一体物を、クリップ本体２に固定したネオジウムマグネット７を磁性掲示板Ｐに正しい姿勢で磁着させることによって、極めて容易に、掲示物Ｎを磁性掲示板Ｐに見栄え良く掲示することができる。
【００１６】
なお、マグネットクリップ１の姿勢が傾いている場合には（従って、掲示物Ｎの姿勢も傾いている）、磁性掲示板Ｐに磁着させたままの状態で、当該マグネットクリップ１を動かすことによって、当該マグネットクリップ１および掲示物Ｎの姿勢を容易に正すことができる。従って、掲示物Ｎを、容易に、見栄え良く掲示することができる。
【００１７】
請求項２に記載のマグネットクリップ１は、請求項１に記載の考案と同様に、掲示物Ｎを見栄え良く掲示することができる。また、一対の本体部３を透明材で形成しているので、掲示物Ｎを挟持した状態で、当該掲示物Ｎを、本体部３を透して視覚することができる。従って、掲示物Ｎを部分的にも覆い隠すことがない。
【００１８】
請求項３に記載のマグネットクリップ１は、請求項１および２に記載の考案と同様に、掲示物Ｎを見栄え良く掲示することができると共に、掲示物Ｎを部分的にも覆い隠すことがない。また、摘み片５に孔部５ａを形成しているので、この孔部５ａに紐状材Ｓを通し、この紐状材Ｓを例えば釘などの突起物Ｔに係止させることによって、磁性掲示板Ｐ以外のあらゆる箇所に掲示することができる。
【考案を実施するための最良の形態】
【００１９】
本考案に係るマグネットクリップ１の実施形態を、図１乃至図４および図６に示す。このマグネットクリップ１は、クリップ本体２とネオジウムマグネット７とで構成された側面略Ｖ字状である。クリップ本体２は、長尺片（長方形状）４の中央部分から、孔部５ａを穿設した摘み片５を上方に突設して透明材で形成した一対の本体部３を、その左右上端部に取付けた側面略逆Ｕ字状のバネ片６で、その上端部に設けた一対の突起片４の先端接触部分を軸として回動自在に組付けて構成したものである。なお、一対の突起片４のうち、一方には係止突部８を設け、他方に係止溝部９を設け、両者を係合させてマグネットクリップ１の回動を安定させている（図６参照）。本体部３は樹脂製（ポリスチレン製）としている。
【００２０】
ネオジウムマグネット７はネオジウムマグネットであり、一対の本体部３のうち、その一方に固定されたもので、本実施形態では、四つの円形のものを、左右に二つずつ（合計四つ）設けている。なお、ネオジウムマグネット７の形状や数は限定されない。このネオジウムマグネット７は、その外面を露出させた状態で本体部３に埋設している。
【００２１】
なお、各本体部３の上端部内面から、内方に突起片３ｂを突設し、その突起片３ｂの先端部同士を当接させることによって、クリップ本体２を、その上端部を軸として回動自在としている。
【００２２】
また、バネ片６は、両本体部３の左右上端部に形成した凹部３ａに係合させることによって、クリップ本体２に、そこから離脱することなく弾力を与えている。
【００２３】
本実施形態に係るマグネットクリップ１は、掲示物Ｎを見栄え良く磁性掲示板Ｐに掲示することができる。すなわち、このマグネットクリップ１は、クリップ本体２に掲示物Ｎを挟持するので、摘み片５を摘んでクリップ本体２を操作することによって、当該掲示物Ｎをマグネットクリップ１に対して正しい姿勢（例えば水平姿勢）に、容易に固定することができる。
【００２４】
また、正しい姿勢にあるマグネットクリップ１と掲示物Ｎの一体物を、それに固定したネオジウムマグネット７を磁性掲示板Ｐに正しい姿勢で磁着させることによって、掲示物Ｎを見栄え良く掲示することができる。
【００２５】
なお、マグネットクリップ１の姿勢が傾いている場合には、磁性掲示板Ｐに磁着させたままの状態で、当該マグネットクリップ１を動かすことによって、掲示物Ｎの姿勢を容易に正すことができる。従って、掲示物Ｎを見栄え良く掲示することができる。
【００２６】
また、このマグネットクリップ１は、一対の本体部３を透明材で形成しているので、掲示物Ｎを挟持した状態で、当該掲示物Ｎを、本体部３を透して視覚することができる。従って、掲示物Ｎを部分的にも覆い隠すことがない。
【００２７】
さらに、摘み片５に孔部５ａを形成しているので、図５に示すように、この孔部５ａに紐状材Ｓを通し、この紐状材Ｓを例えば釘などの突起物Ｔに係止させることによって、あらゆる箇所に掲示することができる。
【図面の簡単な説明】
【００２８】
【図１】本考案に係るマグネットクリップの実施形態を示す正面図である。
【図２】図１に示すマグネットクリップの側面図である。
【図３】図１に示すマグネットクリップの使用状態を示す正面図である。
【図４】図１に示すマグネットクリップの使用状態を示す側面図である。
【図５】図１に示すマグネットクリップの他の使用状態を示す正面図である。
【図６】図１のＸ−Ｘ線断面図である。
【符号の説明】
【００２９】
１        マグネットクリップ
２        クリップ本体
３        本体部
３ａ      凹部
３ｂ      突起片
４        長尺片
５        摘み片
５ａ      孔部
６        バネ片
７        ネオジウムマグネット
８        係止突部
９        係止溝部
Ｎ        掲示物
Ｐ        磁性掲示板
Ｓ        紐状材
Ｔ        突起物
【図１】
0003136365.tif 000003
【図２】
0003136365.tif 000004
【図３】
0003136365.tif 000005
【図４】
0003136365.tif 000006
【図５】
0003136365.tif 000007
【図６】
0003136365.tif 000008
【手続補正書】
【提出日】平成19年8月7日(2007.8.7)
【手続補正１】
【補正対象書類名】明細書
【補正対象項目名】全文
【補正方法】変更
【補正の内容】
【考案の詳細な説明】
【技術分野】
【０００１】
本考案は、マグネットを設けたクリップに関するものである。
【背景技術】
【０００２】
従来、長尺状の透明素材の両端部等に、マグネットを設けたマグネット部材が創案されている（例えば、特許文献１参照）。
【特許文献１】実開昭５７−１３４１７７号公報
【０００３】
このマグネット部材は、書面や図面などの掲示物を、磁性を有する掲示板（磁性掲示板）に掲示するためのもので、マグネットを磁性掲示板に磁着させ、両者の間に資料を挟持して固定するものである。このマグネット部材は透明素材を備えているので、その部分から掲示物を透視することができるといった利点がある。
【考案の開示】
【考案が解決しようとする課題】
【０００４】
しかし、このマグネット部材は、掲示物を、磁性掲示板との間に磁力によって挟んで固定するので、掲示物を見栄え良く磁性掲示板に固定することが困難であるといった問題もある。
【０００５】
すなわち、例えば、Ａ４版などの四角形状の掲示物を掲示する場合、当該掲示物を磁性掲示板にその水平方向と垂直方向を合わせて宛い、その上からマグネット部材を被せるようにして磁着させるが、その際、マグネット部材はその磁力によって瞬時に磁性掲示板に磁着してしまう。従って、そのマグネット部材の姿勢が、掲示物（および磁性掲示板）に対して傾いた姿勢となり易く、結果として、掲示物の見栄えを悪くしてしまう。
【０００６】
また、マグネット部材の傾斜姿勢を直そうとして磁性掲示板に磁着した状態のまま動かすと、それに伴って掲示物も動いて傾いてしまう。従って、この場合も、掲示物の見栄えを悪くしてしまう。
【０００７】
また、このマグネット部材は、透明素材の部分から掲示物を透視することができるものの、マグネットは不透明であるため、そのマグネットの部分からは掲示物を透視することができない。従って、掲示物を部分的に覆い隠してしまうといった問題がある。
【０００８】
本考案はこうした問題に鑑み創案されたもので、掲示物を、常に容易に、見栄え良く掲示することができると共に、部分的にも覆い隠すことのないマグネットクリップを提供することを課題とする。
【課題を解決するための手段】
【０００９】
図１乃至図６を参照して説明する。請求項１に記載のマグネットクリップ１は、長尺片４の中央部分から摘み片５を上方に突設した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１０】
請求項２に記載のマグネットクリップ１は、長尺片４の中央部分から摘み片５を上方に突設し、透明材で形成した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１１】
請求項３に記載のマグネットクリップ１は、長尺片４の中央部分から、孔部５ａを穿設した摘み片５を上方に突設し、透明材で形成した一対の本体部３を、その左右上端部に取付けた側面略逆Ｕ字状のバネ片６で、その上端部を軸として回動自在に組付けた側面略Ｖ字状のクリップ本体２と、前記一対の本体部３のうち、その一方に固定された複数のネオジウムマグネット７と、を備えてなり、前記クリップ本体２で掲示物Ｎを挟持し、前記ネオジウムマグネット７を磁性掲示板Ｐに磁着させてなることを特徴とするものである。
【００１２】
なお、上記掲示物Ｎには、書面、図面、写真、ポスターなど、あらゆるものを含む。また、磁性掲示板Ｐには、鉄製などネオジウムマグネット７が吸着する性質を有し、少なくとも表面が平滑なものを含み、これには冷蔵庫などの電気製品も含む。
【考案の効果】
【００１３】
請求項１に記載のマグネットクリップ１は、長尺片４の中央部分から摘み片５を上方に突設した一対の本体部３を、その左右上端部に取付けた側面略逆Ｕ字状のバネ片６で、その上端部を軸として回動自在に組付けた側面略Ｖ字状のクリップ本体２と、一対の本体部３のうち、その一方に固定された複数のネオジウムマグネット７とを設けて構成しているので、掲示物Ｎを見栄え良く磁性掲示板Ｐに掲示することができる。
【００１４】
すなわち、このマグネットクリップ１は、クリップ本体２で掲示物Ｎを挟持するので、摘み片５を摘んでクリップ本体２を操作することによって、当該掲示物Ｎをマグネットクリップ１に対して正しい姿勢（例えば水平姿勢）に、容易に固定することができる。
【００１５】
そして、正しい姿勢にあるマグネットクリップ１と掲示物Ｎの一体物を、クリップ本体２に固定したネオジウムマグネット７を磁性掲示板Ｐに正しい姿勢で磁着させることによって、極めて容易に、掲示物Ｎを磁性掲示板Ｐに見栄え良く掲示することができる。
【００１６】
なお、マグネットクリップ１の姿勢が傾いている場合には（従って、掲示物Ｎの姿勢も傾いている）、磁性掲示板Ｐに磁着させたままの状態で、当該マグネットクリップ１を動かすことによって、当該マグネットクリップ１および掲示物Ｎの姿勢を容易に正すことができる。従って、掲示物Ｎを、容易に、見栄え良く掲示することができる。
【００１７】
請求項２に記載のマグネットクリップ１は、請求項１に記載の考案と同様に、掲示物Ｎを見栄え良く掲示することができる。また、一対の本体部３を透明材で形成しているので、掲示物Ｎを挟持した状態で、当該掲示物Ｎを、本体部３を透して視覚することができる。従って、掲示物Ｎを部分的にも覆い隠すことがない。
【００１８】
請求項３に記載のマグネットクリップ１は、請求項１および２に記載の考案と同様に、掲示物Ｎを見栄え良く掲示することができると共に、掲示物Ｎを部分的にも覆い隠すことがない。また、摘み片５に孔部５ａを形成しているので、この孔部５ａに紐状材Ｓを通し、この紐状材Ｓを例えば釘などの突起物Ｔに係止させることによって、磁性掲示板Ｐ以外のあらゆる箇所に掲示することができる。
【考案を実施するための最良の形態】
【００１９】
本考案に係るマグネットクリップ１の実施形態を、図１乃至図４および図６に示す。このマグネットクリップ１は、クリップ本体２とネオジウムマグネット７とで構成された側面略Ｖ字状である。クリップ本体２は、長尺片（長方形状）４の中央部分から、孔部５ａを穿設した摘み片５を上方に突設して透明材で形成した一対の本体部３を、その左右上端部に取付けた側面略逆Ｕ字状のバネ片６で、その上端部に設けた一対の突起片４の先端接触部分を軸として回動自在に組付けて構成したものである。なお、一対の突起片４のうち、一方には係止突部８を設け、他方に係止溝部９を設け、両者を係合させてマグネットクリップ１の回動を安定させている（図６参照）。本体部３は樹脂製（ポリスチレン製）としている。
【００２０】
ネオジウムマグネット７は、一対の本体部３のうち、その一方に固定されたもので、本実施形態では、四つの円形のものを、左右に二つずつ（合計四つ）設けている。なお、ネオジウムマグネット７の形状や数は限定されない。このネオジウムマグネット７は、その外面を露出させた状態で本体部３に埋設している。
【００２１】
なお、各本体部３の上端部内面から、内方に突起片３ｂを突設し、その突起片３ｂの先端部同士を当接させることによって、クリップ本体２を、その上端部を軸として回動自在としている。
【００２２】
また、バネ片６は、両本体部３の左右上端部に形成した凹部３ａに係合させることによって、クリップ本体２に、そこから離脱することなく弾力を与えている。
【００２３】
本実施形態に係るマグネットクリップ１は、掲示物Ｎを見栄え良く磁性掲示板Ｐに掲示することができる。すなわち、このマグネットクリップ１は、クリップ本体２に掲示物Ｎを挟持するので、摘み片５を摘んでクリップ本体２を操作することによって、当該掲示物Ｎをマグネットクリップ１に対して正しい姿勢（例えば水平姿勢）に、容易に固定することができる。
【００２４】
また、正しい姿勢にあるマグネットクリップ１と掲示物Ｎの一体物を、それに固定したネオジウムマグネット７を磁性掲示板Ｐに正しい姿勢で磁着させることによって、掲示物Ｎを見栄え良く掲示することができる。
【００２５】
なお、マグネットクリップ１の姿勢が傾いている場合には、磁性掲示板Ｐに磁着させたままの状態で、当該マグネットクリップ１を動かすことによって、掲示物Ｎの姿勢を容易に正すことができる。従って、掲示物Ｎを見栄え良く掲示することができる。
【００２６】
また、このマグネットクリップ１は、一対の本体部３を透明材で形成しているので、掲示物Ｎを挟持した状態で、当該掲示物Ｎを、本体部３を透して視覚することができる。従って、掲示物Ｎを部分的にも覆い隠すことがない。
【００２７】
さらに、摘み片５に孔部５ａを形成しているので、図５に示すように、この孔部５ａに紐状材Ｓを通し、この紐状材Ｓを例えば釘などの突起物Ｔに係止させることによって、あらゆる箇所に掲示することができる。
【図面の簡単な説明】
【００２８】
【図１】本考案に係るマグネットクリップの実施形態を示す正面図である。
【図２】図１に示すマグネットクリップの側面図である。
【図３】図１に示すマグネットクリップの使用状態を示す正面図である。
【図４】図１に示すマグネットクリップの使用状態を示す側面図である。
【図５】図１に示すマグネットクリップの他の使用状態を示す正面図である。
【図６】図１のＸ−Ｘ線断面図である。
【符号の説明】
【００２９】
１        マグネットクリップ
２        クリップ本体
３        本体部
３ａ      凹部
３ｂ      突起片
４        長尺片
５        摘み片
５ａ      孔部
６        バネ片
７        ネオジウムマグネット
８        係止突部
９        係止溝部
Ｎ        掲示物
Ｐ        磁性掲示板
Ｓ        紐状材
Ｔ        突起物